(57)【要約】  利用者への一般情報の提供漏れを防止し一般情報の表示中断による利用者の不満を緩和可能なエレベータの情報表示装置を提供する。このため、エレベータ情報と情報表示単位毎に区分された一般情報とを情報表示部に表示するエレベータの情報表示装置において、エレベータ状態に基づきエレベータ情報及び一般情報から表示する情報を選択し、一般情報の表示中に所定の表示中断要因が発生した場合に当該一般情報の表示を中断してエレベータ情報を表示させる情報表示制御部と、表示中の一般情報が情報表示単位の最後まで表示を完了したかを判断する表示状態管理部と、一般情報の表示が中断された場合に、当該中断に係る表示中断要因及び前記判断の結果に基づいて、当該中断された一般情報の再表示の要否を判定する再表示判定部と、を備え、情報表示制御部は、前記再表示が必要と判定された一般情報を情報表示単位の最初から再度表示させる。
2013076864.tif 000002
【特許請求の範囲】
【請求項１】
エレベータ情報と情報表示単位毎に区分された一般情報とを情報表示部に表示するエレベータの情報表示装置であって、
エレベータの状態に基づいて前記エレベータ情報及び前記一般情報のうちから前記情報表示部に表示する情報を選択するとともに、前記一般情報の表示中に所定の表示中断要因が発生した場合に当該一般情報の表示を中断して前記エレベータ情報を前記情報表示部に表示させる情報表示制御部と、
前記情報表示部に表示されている前記一般情報が前記情報表示単位の最後まで表示を完了したか否かを判断する表示状態管理部と、
前記一般情報の表示が中断された場合に、当該中断に係る前記表示中断要因及び前記表示状態管理部による前記判断の結果に基づいて、当該中断された前記一般情報の再表示の要否を判定する再表示判定部と、を備え、
前記情報表示制御部は、前記再表示判定部により再表示が必要と判定された前記一般情報を、前記情報表示単位の最初から情報表示部に再度表示させることを特徴とするエレベータの情報表示装置。
【請求項２】
前記再表示判定部は、前記一般情報の表示が中断されるまでに、前記情報表示単位の最初から所定の第１の再表示判定時間以上表示されていた場合に、当該一般情報の再表示は不要であると判定することを特徴とする請求項１に記載のエレベータの情報表示装置。
【請求項３】
前記所定の第１の再表示判定時間は、前記一般情報の前記情報表示単位毎に、前記情報表示単位に対する割合として設定されることを特徴とする請求項２に記載のエレベータの情報表示装置。
【請求項４】
前記再表示判定部は、前記一般情報の表示が中断されてから所定の第２の再表示判定時間以上前記一般情報の表示が再開されなかった場合に、当該一般情報の再表示は不要であると判定することを特徴とする請求項１から請求項３のいずれかに記載のエレベータの情報表示装置。
【請求項５】
前記再表示判定部は、前記表示中断要因がエレベータの管制運転である場合には、前記一般情報の再表示は不要であると判定することを特徴とする請求項１から請求項４のいずれかに記載のエレベータの情報表示装置。
【請求項６】
前記再表示判定部は、前記表示中断要因がエレベータの戸開閉であり、かつ、乗りかご内に利用者がいない場合には、前記一般情報の再表示は不要であると判定することを特徴とする請求項１から請求項５のいずれかに記載のエレベータの情報表示装置。
【発明の詳細な説明】
【技術分野】
【０００１】
この発明は、エレベータの情報表示装置に関するものである。
【背景技術】
【０００２】
従来におけるエレベータの情報表示装置においては、乗場での待ち時間や乗りかご内での圧迫感等による利用者のいらだちや不快感を軽減するために、エレベータに関するエレベータ情報に加えて、ニュースや天気予報等の一般情報を表示するものがある。【０００３】
このようなエレベータ情報と一般情報とを表示する従来のエレベータの情報表示装置においては、エレベータがかご呼び登録階に停止したときは階床情報等のエレベータ情報のみを表示し、一般情報を非表示にするものや（例えば、特許文献１参照）、エレベータ情報を重要度によって管制情報と案内情報とに分類した上で、報知時間内においては一般情報を案内情報よりも優先して表示するものが知られている（例えば、特許文献２参照）。【０００４】
また、従来のエレベータの情報表示装置において一般情報をスクロール表示させるものでは、走行時間と一般情報の表示時間とを比較し、走行時間の方が短いようであればスクロール速度を速め、かご到着までに情報表示を完了させることで一般情報の情報提供漏れを防ぐものや（例えば、特許文献３参照）、乗場と乗りかごに設置された情報表示装置に同じ情報をスクロール表示するものにおいて、かご乗降中は表示を一時停止し、乗降終了後にスクロールを再開することで、乗場と乗りかごとの間で行き来をしても引き続き表示内容を確認することができるようにするものが知られている（例えば、特許文献４参照）。
【先行技術文献】
【特許文献】
【０００５】
【特許文献１】日本特開昭６２−２０５９７８号公報
【特許文献２】日本特開２００１−２０６６５５号公報
【特許文献３】日本特開昭６１−１３６８８７号公報
【特許文献４】日本特開平０５−３１９７１４号公報
【発明の概要】
【発明が解決しようとする課題】
【０００６】
しかしながら、特許文献１に示された従来のエレベータの情報表示装置においては、停止階で乗りかごの乗り降りを行わない利用者にとっては一般情報の表示が不意に停止されることになるため、一般情報の提供漏れや見ていたものを不意に中断されることに対する不満が発生する可能性があるという課題がある。【０００７】
また、特許文献２に示された従来のエレベータの情報表示装置においては、予め定めた報知時間以外の時間帯においては、一般表示の表示優先度が低く設定されるため、一般情報の表示が中断され情報提供漏れが発生する可能性が高いという課題がある。【０００８】
さらに、特許文献３に示された従来のエレベータの情報表示装置においては、表示する情報量が多い場合に、全ての情報を表示するためにスクロール速度が速くなり過ぎてしまい、可読性が損なわれてしまうという課題がある。【０００９】
そして、特許文献４に示された従来のエレベータの情報表示装置においては、停止階で乗りかごの乗り降りを行わない利用者にとっては見ていた一般情報のスクロール表示が不意に停止されることになるため不満が発生する可能性があるという課題や、スクロール表示が停止された時間が長引いた場合に、表示済の内容を忘れてしまいスクロール表示が再開された時には何の情報であるのかが分からなくなってしまうおそれがあるという課題もある。【００１０】
この発明は、このような課題を解決するためになされたもので、エレベータの運転状態により一般情報の表示を中断しエレベータ情報を優先して表示する可能性があるものにおいて、利用者への一般情報の提供漏れを防止するとともに、一般情報の表示中断により利用者に生じ得る不満を緩和することができるエレベータの情報表示装置を得るものである。
【課題を解決するための手段】
【００１１】
この発明に係るエレベータの情報表示装置においては、エレベータ情報と情報表示単位毎に区分された一般情報とを情報表示部に表示するエレベータの情報表示装置であって、エレベータの状態に基づいて前記エレベータ情報及び前記一般情報のうちから前記情報表示部に表示する情報を選択するとともに、前記一般情報の表示中に所定の表示中断要因が発生した場合に当該一般情報の表示を中断して前記エレベータ情報を前記情報表示部に表示させる情報表示制御部と、前記情報表示部に表示されている前記一般情報が前記情報表示単位の最後まで表示を完了したか否かを判断する表示状態管理部と、前記一般情報の表示が中断された場合に、当該中断に係る前記表示中断要因及び前記表示状態管理部による前記判断の結果に基づいて、当該中断された前記一般情報の再表示の要否を判定する再表示判定部と、を備え、前記情報表示制御部は、前記再表示判定部により再表示が必要と判定された前記一般情報を、前記情報表示単位の最初から情報表示部に再度表示させる構成とする。
【発明の効果】
【００１２】
この発明に係るエレベータの情報表示装置においては、利用者への一般情報の提供漏れを防止するとともに、一般情報の表示中断により利用者に生じ得る不満を緩和することができるという効果を奏する。
【図面の簡単な説明】
【００１３】
【図１】この発明の実施の形態１に係るエレベータの情報表示装置の全体構成を示すブロック図である。
【図２】この発明の実施の形態１に係るエレベータの情報表示装置の動作を示すフロー図である。
【図３】この発明の実施の形態２に係るエレベータの情報表示装置の動作を示すフロー図である。
【発明を実施するための形態】
【００１４】
実施の形態１．
図１及び図２は、この発明の実施の形態１に係るもので、図１はエレベータの情報表示装置の全体構成を示すブロック図、図２はエレベータの情報表示装置の動作を示すフロー図である。
【００１５】
図１において、１は、エレベータの図示しない乗場及びかご内の少なくとも一方に設置されている情報表示装置本体である。この情報表示装置本体１には、エレベータの利用者に向けて各種の情報を表示再生するための情報表示部２が備えられている。この情報表示部２は、例えば、液晶ディスプレイ（ＬＣＤ：Ｌｑｕｉｄ  Ｃｒｙｓｔａｌ  Ｄｉｓｐｌａｙ）等から構成されている。
【００１６】
この情報表示部２において表示再生される情報の種類には、大きく分けて当該エレベータの運転状態に関するエレベータ情報と、当該エレベータには直接には関係しない一般情報とがある。エレベータ情報には、当該エレベータの管制運転（火災時管制運転や地震時管制運転等）に関する情報、乗りかごの到着情報や戸開閉動作の注意喚起情報等が含まれている。一般情報には、ニュース、天気予報や広告等が含まれている。なお、ここで、特に一般情報に属する各情報については、１件のニュース記事、１地域での天気予報や１件の広告等を１単位とする情報表示単位が設定されている。
【００１７】
情報表示部２において表示再生される情報種類（エレベータ情報か一般情報か）及び具体的な表示される情報の内容は、情報表示装置本体１が備える情報表示制御部３により選択制御される。情報表示部２で表示再生するエレベータ情報及び一般情報は、情報表示装置本体１が備えるエレベータ情報記憶部４及び一般情報記憶部５にそれぞれ記憶されている。
【００１８】
なお、ここで、エレベータ情報記憶部４に記憶されるエレベータ情報については、当該エレベータの運転全般を制御するエレベータ制御装置６のエレベータ情報制御部６ａにおいて管理されている。そこで、情報表示制御部３は、情報表示部２での表示対象となっているエレベータ情報をエレベータ情報制御部６ａから取得するとともに、必要に応じてエレベータ情報記憶部４に記憶しておく。また、一般情報記憶部５に記憶される一般情報は、図示しない一般情報源から例えばインターネット等の通信回線を介して取得・更新される。
【００１９】
情報表示制御部３は、所定の条件に従って、情報表示部２で表示すべき情報種類を選択し、選択した情報種類の情報をエレベータ情報記憶部４又は一般情報記憶部５から取得して、取得した情報を情報表示部２において表示させるように情報表示部２の表示内容を制御する。
【００２０】
この情報表示制御部３において行われる情報表示部２の表示内容についての判断の所定の条件について詳述する。エレベータ制御装置６のエレベータ情報制御部６ａからは、当該エレベータの状態に関するエレベータ状態情報が出力されている（このエレベータ状態情報のうち、情報表示部２において表示されるものが前述したエレベータ情報として用いられる）。情報表示制御部３は、このエレベータ情報制御部６ａからのエレベータ状態情報に基づいて、情報表示部２に表示する情報種類、情報の内容及び表示形態を選択決定する。
【００２１】
情報表示制御部３は、まず、エレベータ状態情報に基づいて一般情報の表示が可能であるかを判定する。この判定においては、例えば、戸開閉中は戸開閉案内用表示を優先し一般情報の表示を禁止するように条件を設定したり、管制運転中は管制運転表示を優先し一般情報の表示を禁止するように条件を設定したりすることができる。また、一般情報の表示可否の条件として、時間帯やエレベータが走行状態（走行中か停止中か）等を設定することもできる。
【００２２】
この判定により、一般情報の表示が可能であると判定した場合は、情報表示制御部３は、一般情報のうちどの情報を表示するかを選択決定し、一般情報記憶部５から当該選択決定した一般情報を情報表示部２へと送信する。そして、情報表示部２において、情報表示制御部３から送信された一般情報が表示される。この表示情報の選択・送信及び情報表示部２での表示は、前述した情報表示単位毎に行われる。
【００２３】
なお、情報表示部２において一度に表示可能な情報量には限りがあるため、情報表示単位１単位分の情報を一度に表示できない場合には、スクロール表示やページ送り表示を用いることで最終的に情報表示単位１単位分の全ての情報が情報表示部２に表示されるようにする。
【００２４】
情報表示装置本体１には、情報表示部２における一般情報の表示状態を管理するための表示状態管理部７が備えられている。この表示状態管理部７は、情報表示部２で表示されている一般情報が、その情報表示単位を単位としてどの程度の表示が完了したかという表示状態を管理している。そして、現在表示している情報が情報表示単位にして１単位分の表示が完了すると、表示状態管理部７は情報表示制御部３へと情報表示完了情報を送信する。
【００２５】
情報表示制御部３は、表示状態管理部７から表示完了情報を受信すると、続けて表示再生する次の情報を選択して情報表示部２へと送信し、この選択された次の情報が情報表示部２において再生表示される。このようにして、一般情報が表示可能である条件が満たされている限り、１つの（１単位分の）一般情報の表示が完了すると続けて次の情報が表示され、一般情報の表示が順次継続される。
【００２６】
ここで、情報表示制御部３は、常にエレベータ情報制御部６ａからのエレベータ状態情報を監視している。そして、一般情報の表示再生中に一般情報を表示可能な条件が満たされなくなった場合（一般情報表示不可となった場合）、当該表示再生中の一般情報の表示を中断する。この一般情報の表示再生中断は、例えば、単に情報表示制御部３から情報表示部２への一般情報の送信を停止したり、情報表示制御部３から情報表示部２へのエレベータ情報の送信を開始して情報表示部２における表示内容をエレベータ情報のもので上書きしたりすることにより行われる。
【００２７】
情報表示制御部３には、一般情報の表示再生が中断された場合に、当該中断された一般情報について再生のし直し（再表示）が必要であるか否かを判定する再表示判定部３ａが備えられている。この再表示判定部３ａは、一般情報の表示再生が中断された時、すなわち、エレベータ状態情報に基づき一般情報の表示再生が不可と判定された時に、表示再生中の一般情報について表示状態管理部７から表示完了情報を受け取ったか否かということから、この一般情報の再表示が必要であるか否かを判定するものである。
【００２８】
具体的には、一般情報の表示再生が不可となった時に、表示再生中の一般情報について表示状態管理部７から表示完了情報を受け取っていない場合には、この一般情報の再表示が必要であると判定し、逆に表示完了情報を受け取っていた場合には、この一般情報の再表示は不要であると判定する。
【００２９】
また、この再表示判定部３ａによる再表示要否の判定においては、一般情報の中断がどういった要因により発生したかという表示中断要因をさらに考慮するようにしてもよい。この表示中断要因を考慮した再表示判定の具体的な例としては、例えば戸開閉動作を行うために（戸開閉のエレベータ情報を優先的に表示するために）一般情報の表示を中断した場合には、さらに、表示中断時における乗りかご内の利用者の有無により再表示を行うかを判定することが考えられる（この場合には、利用者有のときに再表示要、利用者無のときに再表示不要と判定する）。
【００３０】
つまり、情報の再表示は、一般情報の表示中断時に当該一般情報を見ていたにも関わらずエレベータ状態の変化等の中断要因により情報提供を妨げられた利用者に対して行うべきものである。換言すれば、一般情報の表示中断時に当該一般情報を見ていた利用者が存在しない場合には情報の再表示を行う必要がないことになる。そこで、前述したように表示中断要因を考慮して再表示の要否を判定することで、不要な再表示動作を抑制し、真に再表示を必要としている利用者に適切に情報を提供することができる。
【００３１】
なお、火災等の管制運転状態に移行したことにより一般情報の表示が中断された場合については、表示中断の前後で表示を見続ける利用者はいないことが想定される。そこで、表示中断要因が管制運転への移行である場合には、情報の再表示は不要と判定するように条件を設定すればよい。
【００３２】
そして、再表示判定部３ａにより再表示が必要であると判定された一般情報がある場合には、情報表示制御部３は、エレベータ状態情報に基づき一般情報の表示再生が可能であると判定されたときに、当該再表示が必要であると判定された一般情報を、情報の先頭から情報表示部２へと再度送信して、情報表示部２において当該一般情報が先頭から再表示される。
【００３３】
この実施の形態にあっては、エレベータの情報表示装置は、図２に示す一連のフローに従って動作する。
まず、ステップＳ１において、一般情報表示用のカウンタ変数ｉを初期化し、ｉに１を代入する。そして、続くステップＳ２において、複数の一般情報を識別する変数Ｘにｉの値を代入する。
【００３４】
ここで、前述したように一般情報には情報表示単位が設定されており、一般情報記憶部５には、この情報表示単位毎に区別されて情報１から情報ｎ（ｎは自然数）までｎ個の一般情報が記憶されている。ステップＳ２における変数Ｘは、情報表示単位によって区別された複数の一般情報のうちの１を指定するためのもので、Ｘ（Ｘ＝１、２、…、ｎ）番目の情報は情報Ｘである。
【００３５】
続くステップＳ３において、情報表示制御部３は、エレベータ情報制御部６ａからのエレベータ状態情報に基づいて一般情報が表示可能であるか否かを判定する。そして、一般情報が表示可能であると判定されれば、ステップＳ４へと進む。このステップＳ４においては、情報表示制御部３は一般情報記憶部５から情報Ｘを取得して情報表示部２へと送信し、情報表示部２で情報Ｘを表示再生する。
【００３６】
続くステップＳ５においては、情報表示制御部３は、情報Ｘについて表示状態管理部７から表示完了情報を受け取ったか否かを確認する。表示完了情報を受け取り情報Ｘの表示再生が完了したことが確認された場合には、ステップＳ９へと進み変数ｉをインクリメントした上でステップＳ２へと戻る。
【００３７】
一方、ステップＳ５において、表示完了情報をまだ受け取っておらず情報Ｘの表示再生が完了していない場合には、ステップＳ６へと進む。このステップＳ６においては、情報表示制御部３はエレベータ情報制御部６ａからのエレベータ状態情報に基づいて、一般情報の表示再生を中断するか否かを判定する。そして、一般情報の表示再生を中断しないと判定した場合には、情報Ｘの表示再生を継続したままステップＳ５へと戻る。一方、一般情報の表示再生を中断すると判定した場合には、情報Ｘの表示再生を中断してステップＳ７へと進む。
【００３８】
このステップＳ７においては、情報表示制御部３は、ステップＳ６で表示再生の中断に至った表示中断要因を取得する。そして、ステップＳ８へと進み、再表示判定部３ａは、この取得した表示中断要因に基づいて、情報Ｘの再表示（再生し直し）が必要であるか否かを判定する。
【００３９】
情報Ｘの再表示（再生し直し）が必要である場合にはステップＳ３へと戻り、一般情報が表示可能な状態となるとステップＳ４で情報Ｘが再度先頭から表示再生される（変数ｉ及びＸに変更がないため、同一の情報Ｘが再表示される）。一方、ステップＳ８において、情報Ｘの再表示（再生し直し）が必要でないと判定された場合には、ステップＳ９で変数ｉをインクリメントした上でステップＳ２へと戻る。
【００４０】
なお、ステップＳ９で変数ｉをインクリメントした結果、ｉの値が一般情報記憶部５に記憶されている情報表示単位数ｎを超える場合には、ｉの値に１を代入して表示対象の情報の内容がループするようにする。
【００４１】
以上のように構成されたエレベータの情報表示装置は、エレベータの状態に基づいてエレベータ情報及び一般情報のうちから情報表示部に表示する情報を選択するとともに、一般情報の表示中に所定の表示中断要因が発生した場合に当該一般情報の表示を中断してエレベータ情報を情報表示部に表示させる情報表示制御部と、情報表示部に表示されている一般情報が情報表示単位の最後まで表示を完了したか否かを判断する表示状態管理部と、一般情報の表示が中断された場合に、当該中断に係る表示中断要因及び表示状態管理部による前記判断の結果に基づいて、当該中断された一般情報の再表示の要否を判定する再表示判定部と、を備えたものである。そして、情報表示制御部は、再表示判定部により再表示が必要と判定された一般情報を、情報表示単位の最初から情報表示部に再度表示させる。
【００４２】
このため、表示途中に表示が中断された一般情報については再度表示することで、エレベータ情報の表示に阻害されずかつ表示の見やすさを損なうことなく、多くの一般情報を確実に利用者に提供することで可能となり、一般情報の提供漏れを防ぐことができるようになる。また、一般情報の表示中断により利用者に生じ得る不満を緩和することができるとともに、表示中断に至った要因により再表示するか否かを判定することで、無駄な一般情報の再表示を防止し、より適切かつ効率的に一般情報を利用者に提供することが可能である。
【００４３】
実施の形態２．
図３は、この発明の実施の形態２に係るエレベータの情報表示装置の動作を示すフロー図である。
ここで説明する実施の形態２は、前述した実施の形態１の構成に加えて、再表示判定部における情報再表示の判定条件に、ある情報の表示を開始してから当該情報の表示が中断されるまでの経過時間や、情報の表示が中断されてから再表示（一般情報表示可能となる）までの経過時間を盛り込むようにしたものである。
【００４４】
すなわち、情報表示制御部３の再表示判定部３ａは、ある一般情報の表示再生が中断された場合に、当該一般情報の表示再生が開始されてから中断されるまでの経過時間が所定の第１の再表示判定時間以上であったときは、当該一般情報の再表示は不要であると判定する。
【００４５】
この所定の第１の再表示判定時間は、一般情報のうち全ての情報表示単位について同一の値を設定してもよいし、情報表示単位毎に任意の値を設定できるようにしてもよい。また、各情報表示単位について情報表示単位１単位分を全て表示するのに必要な時間が判明している場合には、情報表示単位１単位に対する表示が完了している割合でもって第１の再表示判定時間を設定するようにしてもよい（例えば、情報表示単位１／２単位以上の表示が完了していれば再表示は行わない等）。
【００４６】
このような条件を設定することで、例えば一般情報の表示時間を十分に確保できない状態が続いた場合等に、同じ情報だけが繰り返し再生され、他の情報がなかなか表示されないという状態に陥ることを防止することができる。
【００４７】
また、再表示判定部３ａは、一般情報の表示再生が中断された場合に、この中断から所定の第２の再表示判定時間が経過する前に一般情報の表示が可能とならなかった場合には、一般情報の再表示は不要であると判定する。このような条件を設定することで、一般情報として状況に応じて逐次更新されるタイムリーな情報や速報性が強い情報等の表示を行っている場合に、表示時期を逸した状態での無駄な再表示を防止することが可能となる。
なお、他の構成については実施の形態１と同様であって、その詳細説明は省略する。
【００４８】
この実施の形態にあっては、エレベータの情報表示装置は、図３に示す一連のフローに従って動作する。
なお、この図３におけるステップＳ１１からステップＳ１６は、実施の形態１の図２におけるステップＳ１からステップＳ６と同様であるため、その説明は省略する。また、図３におけるステップＳ１８、Ｓ１９、Ｓ２１は、それぞれ、図２におけるステップＳ７、Ｓ８、Ｓ９と同様であるため、その詳細な説明は省略する。
【００４９】
図３のステップＳ１６において、一般情報の表示再生を中断すると判定した場合には、情報Ｘの表示再生を中断してステップＳ１７へと進む。このステップＳ１７においては、再表示判定部３ａは、表示再生が中断された情報Ｘについて、表示再生が開始されてから先のステップＳ１６で表示再生が中断されるまでに一定時間（所定の第１の再表示判定時間）以上表示再生されたか否かについて判定する。
【００５０】
この判定において、情報Ｘが所定の第１の再表示判定時間以上表示再生されていた場合には、ステップＳ２１で変数ｉをインクリメントした上でステップＳ１２へと戻る。一方、情報Ｘが表示再生された時間が所定の第１の再表示判定時間より短かった場合にはステップＳ１８へと進む。そして、ステップＳ１８で表示中断要因を取得した後、ステップＳ１９で表示中断要因に基づき情報Ｘの再表示（再生し直し）が必要であると判定されると、ステップＳ２０へと進む。
【００５１】
このステップＳ２０においては、再表示判定部３ａは、一般情報の表示再生が中断されてから再表示が開始されるまでの時間が一定時間（所定の第２の再表示判定時間）以下であるか否かを判定する。再表示までの時間が所定の第２の再表示判定時間以下でない、すなわち、一般情報の表示再生が中断されてから再び一般情報の表示が可能となるまでに所定の第２の再表示判定時間が経過してしまった場合には、ステップＳ２１へと進み変数ｉをインクリメントした上でステップＳ１２へと戻る。
【００５２】
一方、再表示までの時間が所定の第２の再表示判定時間以下である場合には、ステップＳ１３へと戻った後ステップＳ１４へと進み、情報Ｘが再度先頭から表示再生される。
【００５３】
なお、以上で説明した第１の再表示判定時間を用いた条件と、第２の再表示判定時間を用いた条件とは、少なくともいずれか１つを用いて再表示の要否を判定するようにしてもよい。
【００５４】
以上のように構成されたエレベータの情報表示装置においては、実施の形態１と同様の効果を奏することができるのに加えて、例えば戸開閉時に一般情報の表示を中断する場合でかつ停止階が多いとき等の一般情報の表示時間を十分に確保できない状態が続いた場合に、同じ情報だけが繰り返し再生され、別の情報が表示されないという状態に陥ることを防止することができる。
【００５５】
また、一般情報として状況に応じて逐次更新されるタイムリーな情報等を表示している場合に、表示中断から時間が相当程度経過してしまい情報の再表示の必要性が乏しいと思われる状況において、不必要な再表示を防止することができ、効率的に情報提供を行うことができるとともに、無意味な情報の表示による利用者の不満を低減することが可能である。
【産業上の利用可能性】
【００５６】
この発明は、エレベータ情報と情報表示単位毎に区分された一般情報とを情報表示部に表示するエレベータの情報表示装置に利用できる。
【符号の説明】
【００５７】
１    情報表示装置本体
２    情報表示部
３    情報表示制御部
３ａ  再表示判定部
４    エレベータ情報記憶部
５    一般情報記憶部
６    エレベータ制御装置
６ａ  エレベータ情報制御部
７    表示状態管理部
【図１】
2013076864.tif 000003
【図２】
2013076864.tif 000004
【図３】
2013076864.tif 000005
【国際調査報告】
2013076864.tif 000006
2013076864.tif 000007
2013076864.tif 000008
2013076864.tif 000009